(57)【要約】      （修正有）【課題】多坑井用ビームポンピングシステムの採油機ごとにカウンターウェイトを配置せずに済む多坑井用ビームポンピングシステムの調整可能な共用平衡装置を提供する。【解決手段】頂部の両側にそれぞれ軸受け箱３が設置されるホルダ４と、２つの軸受け箱３の中間に配置され、平衡ディスク、平衡ディスクの両側に対称に位置するカウンターウェイト及び平衡ディスクの内部の両側に対称に位置する駆動機構が設けられ、各カウンターウェイトが径方向に平衡ディスクの内部に装着され、且つカウンターウェイトを駆動して平衡ディスクの軸方向に沿って、同期しつつスライドイン又はスライドアウトさせる対応駆動機構に接続される平衡ホイール１と、２つの軸受け箱３及び平衡ホイール１を同時に貫通し、且つ平衡ホイール１に同軸に固定され、２つの軸受け箱３により支持された状態で回転し、平衡ホイール１を動かして同軸回転させる回転軸２とを備える。【選択図】図１
2019127819.tif 000002
【特許請求の範囲】
【請求項１】
多坑井用ビームポンピングシステムの調整可能な共用平衡装置であって、
ホルダ（４）と、平衡ホイール（１）と、回転軸（２）とを含み、
前記ホルダ（４）の頂部の両側にそれぞれ軸受け箱（３）が設置され、
前記平衡ホイール（１）は、２つの軸受け箱（３）の中間に配置され、前記平衡ホイール（１）には、平衡ディスク（６）、前記平衡ディスク（６）の両側に対称に位置するカウンターウェイト（５）、及び前記平衡ディスク（６）の内部の両側に対称に位置する駆動機構（７）が設けられ、各カウンターウェイト（５）は、径方向に前記平衡ディスク（６）の内部に装着され、且つ、前記平衡ホイール（１）は、前記カウンターウェイト（５）を駆動し、前記平衡ディスク（６）の軸方向に沿って同期させつつスライドイン又はスライドアウトさせる対応駆動機構（７）に接続され、
前記回転軸（２）は、２つの軸受け箱（３）及び前記平衡ホイール（１）を同時に貫通し、且つ前記平衡ホイール（１）と同軸に固定され、前記回転軸（２）は、２つの軸受け箱（３）により支持された状態で回転し、前記平衡ホイール（１）を動かして同軸回転させる、ことを特徴とする多坑井用ビームポンピングシステムの調整可能な共用平衡装置。
【請求項２】
前記平衡ホイール（１）の中心に回転軸孔（８）が設けられ、前記回転軸（２）が前記回転軸孔（８）を軸方向に貫通し、前記回転軸孔（８）の内壁にキー溝が設けられており、前記回転軸（２）の外壁にキー溝と嵌合して接続されるフラットキーが設けられる、ことを特徴とする請求項１に記載の調整可能な共用平衡装置。
【請求項３】
前記カウンターウェイト（５）は板状であり、カウンターウェイト本体（１１）及び前記カウンターウェイト本体（１１）の両側に対称に固定されたカウンターウェイトカバー（９）を含み、前記カウンターウェイトカバー（９）と前記カウンターウェイト本体（１１）の間の間隔は前記駆動機構（７）の取り付けを補助するカウンターウェイト取り付け溝（１０）となる、ことを特徴とする請求項１に記載の調整可能な共用平衡装置。
【請求項４】
前記平衡ディスク（６）は円盤状であり、前記平衡ディスク（６）の径方向に１組の平衡ディスク開口（１２）が対称に設けられており、前記カウンターウェイト（５）は、対応する前記平衡ディスク開口（１２）内に装着され、
前記平衡ディスク開口（１２）には、前記平衡ディスク（６）の径方向の２つの端面にそれぞれ前記カウンターウェイト（５）の取り付けを補助する平衡ディスク凹溝（１６）及び前記駆動機構（７）の取り付けを補助する収容溝が設けられており、且つ２つの平衡ディスク開口（１２）の収容溝は前記平衡ディスク（６）の軸心に対して中心対称となる、ことを特徴とする請求項１に記載の調整可能な共用平衡装置。
【請求項５】
前記収容溝は、前記平衡ディスク開口（１２）の内端面の両側に対称に設けられている傘歯車収容溝（１３）、及びそのうちのいずれかの傘歯車収容溝（１３）の内端面にさらに設けられているモータ収容溝（１５）を含み、２つの平衡ディスク開口（１２）の傘歯車収容溝（１３）及びモータ収容溝（１５）は前記平衡ディスク（６）の軸心に対して中心対称となる、ことを特徴とする請求項４に記載の調整可能な共用平衡装置。
【請求項６】
前記平衡ディスク（６）の２つの端面にそれぞれ２組のストッパー（１４）が設置され、２組のストッパー（１４）はそれぞれ、平衡ディスク開口（１２）における傘歯車収容溝（１３）及びモータ収容溝（１５）を対応して遮蔽する、ことを特徴とする請求項５に記載の調整可能な共用平衡装置。
【請求項７】
前記駆動機構（７）は、前記平衡ディスク（６）の内部に固定された駆動モータ（２７）及び前記駆動モータ（２７）により駆動され、同期しつつ同方向に回転する２本のスクリュー（１８）を含み、前記スクリュー（１８）のネジ部が前記カウンターウェイト（５）の内部に配置される、ことを特徴とする請求項１に記載の調整可能な共用平衡装置。
【請求項８】
前記駆動モータ（２７）の出力軸にモータ傘歯車（２６）が同心固定され、駆動軸（２３）は前記駆動モータ（２７）と同軸で間隔を空けて設置され、前記駆動軸（２３）の両端にそれぞれ駆動軸傘歯車（２２）が固定され、２つの駆動軸傘歯車（２２）の内側にそれぞれ駆動軸バネ（２５）が套設され、各駆動軸バネ（２５）の内側にそれぞれ駆動軸軸受け（２４）が套設され、
前記スクリュー（１８）は、前記駆動軸（２３）の両端に位置し、且つ前記スクリュー（１８）の一端部にスクリュー傘歯車（２１）が固定され、一方のスクリュー（１８）のスクリュー傘歯車（２１）は前記駆動軸傘歯車（２２）と前記モータ傘歯車（２６）の間に位置し、前記駆動軸傘歯車（２２）及び前記モータ傘歯車（２６）と同時に噛み合い、他方のスクリュー（１８）のスクリュー傘歯車（２１）は前記駆動軸傘歯車（２２）と噛み合い、２本のスクリュー（１８）の軸線は、前記駆動軸（２３）の軸線及び前記駆動モータ（２７）の出力軸の軸線に垂直であり、且つ同一平面にある、ことを特徴とする請求項７に記載の調整可能な共用平衡装置。
【請求項９】
各前記スクリュー傘歯車（２１）の内側にそれぞれスクリューバネ（２０）が套設され、各スクリューバネ（２０）の内側にそれぞれスクリュー軸受け（１９）が套設され、前記スクリュー軸受け（１９）の内側から前記スクリュー（１８）の他端までがネジ部となり、前記ネジ部に雄ネジが形成され、且つ前記ネジ部に複数のネジ付ブロック（１７）が均等に套設されており、前記ネジ付ブロック（１７）は中空で前記雄ネジと嵌合して接続された雌ネジが形成され、前記ネジ付ブロック（１７）は前記カウンターウェイト（５）の内部に固定される、ことを特徴とする請求項８に記載の調整可能な共用平衡装置。
【請求項１０】
前記軸受け箱（３）は、上下で結合された軸受けハウジング及び軸受けカバーを含み、前記軸受け箱（３）内に軸受けが設置され、前記回転軸（２）は前記平衡ホイール（１）及び２つの軸受け箱（３）における軸受けを同時に貫通する、ことを特徴とする請求項１に記載の調整可能な共用平衡装置。
【発明の詳細な説明】
【技術分野】
【０００１】
本発明は、石油採掘の技術分野に関し、具体的には、多坑井用ビームポンピングシステムの調整可能な共用平衡装置に関する。
【背景技術】
【０００２】
多坑井用ビームポンピングシステムは、一台のモータで複数台の単一採油機を同時に駆動して作動させるものであり、シャフトカップリングで単一採油機を連結して、動力を伝達し、それによってコストダウンの目的を実現する。従来技術では、作動安定性を保持するとともに、上下ストローク時の負荷が互いに平衡となるように、単一採油機のクランクにカウンターウェイトが取り付けられている。しかしながら、複数台の単一採油機を共通主軸で接続する場合、単一採油機ごとのクランクにカウンターウェイトが取り付けられると、モータの起動及び作動の電力を向上させる必要があるだけでなく、使用されるカウンターウェイトの数が増加し、コストを増大し且つ経済的にも不利である。
【発明の概要】
【発明が解決しようとする課題】
【０００３】
上記問題を解決するために、本発明の目的は、カウンターウェイトの数を減少させ、ポンピング過程において上下ストロークを平衡にするとともに、多坑井用ビームポンピングシステムの採油機ごとにカウンターウェイトを配置せずに済む多坑井用ビームポンピングシステムの調整可能な共用平衡装置を提供することである。
【課題を解決するための手段】
【０００４】
本発明にて提供される多坑井用ビームポンピングシステムの調整可能な共用平衡装置は、ホルダと、平衡ホイールと、回転軸とを含む。
前記ホルダの頂部の両側にそれぞれ軸受け箱が設置され、
前記平衡ホイールは、２つの軸受け箱の中間に配置され、前記平衡ホイールには、平衡ディスク、前記平衡ディスクの両側に対称に位置するカウンターウェイト、及び前記平衡ディスクの内部の両側に対称に位置する駆動機構が設けられ、各カウンターウェイトは、径方向に前記平衡ディスクの内部に装着され、且つ前記カウンターウェイトを駆動し、前記平衡ディスクの軸方向に沿って同期させつつスライドイン又はスライドアウトさせる対応駆動機構に接続され、
前記回転軸は、２つの軸受け箱及び前記平衡ホイールを同時に貫通し、且つ前記平衡ホイールと同軸に固定され、前記回転軸は、２つの軸受け箱により支持された状態で回転して前記平衡ホイールを動かして同軸回転させる。
【０００５】
本発明のさらなる改良として、前記平衡ホイールの中心に回転軸孔が設けられ、前記回転軸が前記回転軸孔を軸方向に貫通し、前記回転軸孔の内壁にキー溝が設けられており、前記回転軸の外壁にキー溝と嵌合して接続されるフラットキーが設けられる。
【０００６】
本発明のさらなる改良として、前記カウンターウェイトは板状であり、カウンターウェイト本体及び前記カウンターウェイト本体の両側に対称に固定されたカウンターウェイトカバーを含み、前記カウンターウェイトカバーと前記カウンターウェイト本体の間の間隔は前記駆動機構の取り付けを補助するカウンターウェイト取り付け溝となる。
【０００７】
本発明のさらなる改良として、前記平衡ディスクは円盤状であり、前記平衡ディスクの径方向に１組の平衡ディスク開口が対称に設けられており、前記カウンターウェイトは対応する前記平衡ディスク開口内に装着され、
前記平衡ディスク開口は、前記平衡ディスクの径方向の２つの端面にそれぞれ前記カウンターウェイトの取り付けを補助する平衡ディスク凹溝及び前記駆動機構の取り付けを補助する収容溝が設けられており、且つ２つの平衡ディスク開口の収容溝は前記平衡ディスクの軸心に対して中心対称となる。
【０００８】
本発明のさらなる改良として、前記収容溝は、前記平衡ディスク開口の内端面の両側に対称に設けられている傘歯車収容溝、及びそのうちのいずれかの傘歯車収容溝の内端面にさらに設けられているモータ収容溝を含み、２つの平衡ディスク開口の傘歯車収容溝及びモータ収容溝は前記平衡ディスクの軸心に対して中心対称となる。
【０００９】
本発明のさらなる改良として、前記平衡ディスクの２つの端面にそれぞれ２組のストッパーが設置され、２組のストッパーはそれぞれ、平衡ディスク開口における傘歯車収容溝及びモータ収容溝を対応して遮蔽する。
【００１０】
本発明のさらなる改良として、前記駆動機構は、前記平衡ディスクの内部に固定された駆動モータ及び前記駆動モータにより駆動されて、同期しつつ同方向に回転する２本のスクリューを含み、前記スクリューのネジ部が前記カウンターウェイトの内部に配置される。
【００１１】
本発明のさらなる改良として、前記駆動モータの出力軸にモータ傘歯車が同心固定され、駆動軸は前記駆動モータと同軸で間隔を空けて設置され、前記駆動軸の両端にそれぞれ駆動軸傘歯車が固定され、２つの駆動軸傘歯車の内側にそれぞれ駆動軸バネが套設され、各駆動軸バネの内側にそれぞれ駆動軸軸受けが套設され、
前記スクリューは、前記駆動軸の両端に位置し、且つ前記スクリューの一端部にスクリュー傘歯車が固定され、一方のスクリューのスクリュー傘歯車は前記駆動軸傘歯車と前記モータ傘歯車の間に位置し、前記駆動軸傘歯車及び前記モータ傘歯車と同時に噛み合い、他方のスクリューのスクリュー傘歯車は前記駆動軸傘歯車と噛み合い、２本のスクリューの軸線は、前記駆動軸の軸線及び前記駆動モータの出力軸の軸線に垂直であり、且つ同一平面にある。
【００１２】
本発明のさらなる改良として、各前記スクリュー傘歯車の内側にそれぞれスクリューバネが套設され、各スクリューバネの内側にそれぞれスクリュー軸受けが套設され、前記スクリュー軸受けの内側から前記スクリューの他端までがネジ部となり、前記ネジ部に雄ネジが形成され、且つ前記ネジ部に複数のネジ付ブロックが均等に套設されており、前記ネジ付ブロックは中空で前記雄ネジと嵌合して接続された雌ネジが形成され、前記ネジ付ブロックは前記カウンターウェイトの内部に固定される。
【００１３】
本発明のさらなる改良として、前記軸受け箱は、上下で結合された軸受けハウジング及び軸受けカバーを含み、前記軸受け箱内に軸受けが設置され、前記回転軸は前記平衡ホイール及び２つの軸受け箱における軸受けを同時に貫通する。
【発明の効果】
【００１４】
本発明の有益な効果は以下のとおりである。
１、本発明の多坑井用ビームポンピングシステムの調整可能な共用平衡装置は、ポンピング過程において上下ストロークを平衡にし、且つ多坑井用ビームポンピングシステムの採油機ごとにカウンターウェイトを配置せずに済むため、カウンターウェイトの数を減少させ、モータの起動及び作動の電力を大幅に低下させ、同時に平衡負荷を調整可能にする機能を実現する。
２、カウンターウェイトに１対１で対応する駆動機構が設置されることによって、カウンターウェイトをスライドイン又はスライドアウトさせ、多坑井用ビームポンピングシステムの調整可能な共用平衡装置による平衡負荷を調整することができる。
３、平衡ディスクの２つの端面にそれぞれ２組のストッパーが設置されており、２組のストッパーは２つの端面においてそれぞれ、対応する平衡ディスク開口における傘歯車収容溝及びモータ収容溝を遮蔽することで、防水効果を実現する。
４、駆動軸傘歯車及びスクリュー傘歯車の内側にそれぞれ駆動軸バネ及びスクリューバネを套設することにより、駆動軸傘歯車やスクリュー傘歯車の伝動過程での振動を効果的に緩和させ、駆動軸傘歯車及びスクリュー傘歯車をより効果的に噛み合わせ、伝達効率を向上させる。
５、スクリュー軸受け及び駆動軸軸受けのいずれもスライド軸受けを用いるため、摩擦損失及び表面摩損を効果的に減少させて、伝動過程を安定的かつ確実にして、ノイズを解消する。
【図面の簡単な説明】
【００１５】
【図１】本発明の実施例による多坑井用ビームポンピングシステムの調整可能な共用平衡装置の正面図である。
【図２】図１の側面図である。
【図３】多坑井用ビームポンピングシステムの調整可能な共用平衡装置における平衡ホイールの部分断面図である。
【図４】多坑井用ビームポンピングシステムの調整可能な共用平衡装置におけるカウンターウェイトの断面図である。
【図５】多坑井用ビームポンピングシステムの調整可能な共用平衡装置における平衡ディスクの部分断面図である。
【図６】多坑井用ビームポンピングシステムの調整可能な共用平衡装置における平衡ディスクの側面図である。
【図７】多坑井用ビームポンピングシステムの調整可能な共用平衡装置における駆動機構の構造模式図である。
【発明を実施するための形態】
【００１６】
以下、実施例にて、図面を参照しながら、本発明についてさらに詳細に説明する。
【００１７】
図１〜２に示されるように、本発明の実施例による多坑井用ビームポンピングシステムの調整可能な共用平衡装置は、ホルダ４と、平衡ホイール１と、回転軸２とを備える。ホルダ４の頂部の両側には、それぞれ、軸受け箱３が設置される。平衡ホイール１は２つの軸受け箱３の中間に配置される。回転軸２は２つの軸受け箱３及び平衡ホイール１を同時に貫通する。回転軸２は平衡ホイール１に同軸に固定される。回転軸２は２つの軸受け箱３により支持された状態で回転して平衡ホイール１を動かして同軸回転させる。
【００１８】
さらに、軸受け箱３は、上下で結合される軸受けハウジング及び軸受けカバーを含む。軸受け箱３内に軸受けが設置され、回転軸２は平衡ホイール１及び２つの軸受け箱３における軸受けを同時に貫通する。回転軸２は、軸受け箱３から貫通した後、シャフトカップリング（未図示）によって多坑井用ビーム採油機の主軸に同軸接続される。多坑井用ビーム採油機の主軸が回転するときに、回転軸２を介して平衡ホイール１が駆動されて同期しつつ回転し、カウンターウェイト５によって、多坑井用ビーム採油機の作動中に、それぞれ、上下ストロークでの負荷を平衡にする。
【００１９】
図３に示されるように、平衡ホイール１には、平衡ディスク６、平衡ディスク６の両側に対称に位置するカウンターウェイト５、及び平衡ディスク６の内部の両側に対称に位置する駆動機構７が設けられる。各カウンターウェイト５は径方向に平衡ディスク６の内部に装着される。カウンターウェイト５は、対応駆動機構７に接続される。対応駆動機構７は、カウンターウェイト５を駆動して平衡ディスク６の軸方向に沿って同期しつつスライドイン又はスライドアウトさせる。平衡ホイール１の中心には回転軸孔８が設けられる。回転軸２は回転軸孔８を軸方向に貫通する。回転軸孔８の内壁には、キー溝が設けられている。回転軸２の外壁には、キー溝と嵌合して接続されるフラットキーが設けられる。回転軸２と回転軸孔８の間におけるフラットキーとキー溝が嵌合する方式で、回転軸２により平衡ホイール１を動かして同軸回転させる。
【００２０】
図４に示されるように、カウンターウェイト５は板状である。カウンターウェイト５は、カウンターウェイト本体１１、及びカウンターウェイト本体１１の両側に対称に固定されたカウンターウェイトカバー９を含む。カウンターウェイトカバー９とカウンターウェイト本体１１の間の間隔が、駆動機構７の取り付けを補助するカウンターウェイト取り付け溝１０となる。
【００２１】
図５〜６に示されるように、平衡ディスク６は円盤状である。平衡ディスク６の径方向に１組の平衡ディスク開口１２が対称に設けられている。カウンターウェイト５は、対応する平衡ディスク開口１２内に装着される。カウンターウェイト５は平衡ディスク開口１２を介して平衡ディスク６と嵌合して取り付けられる。各々の平衡ディスク開口１２の平衡ディスク６の径方向の２つの端面には、それぞれ、カウンターウェイト５の取り付けを補助する平衡ディスク凹溝１６、及び駆動機構７の取り付けを補助する収容溝が設けられている。２つの平衡ディスク開口１２の収容溝は平衡ディスク６の軸心に対して中心対称となる。カウンターウェイト５が平衡ディスク６と嵌合して取り付けられるとき、カウンターウェイト５の両側におけるカウンターウェイトカバー９及びカウンターウェイト取り付け溝１０は平衡ディスク凹溝１６に位置する。従って、平衡ディスク凹溝１６は、同時に、対応するカウンターウェイト５のガイド溝として、カウンターウェイト５の平衡ディスク開口１２に対するスライドイン又はスライドアウトを補助する。
【００２２】
さらに、収容溝は、平衡ディスク開口１２の内端面の両側に対称に設けられている傘歯車収容溝１３、及びそのうちのいずれかの傘歯車収容溝１３の内端面にさらに設けられているモータ収容溝１５を含む。２つの平衡ディスク開口１２のいずれの内部にも、２つの傘歯車収容溝１３及びそのうちの一方の傘歯車収容溝１３と一体に接続されたモータ収容溝１５が設置される。２つの平衡ディスク開口１２の傘歯車収容溝１３及びモータ収容溝１５は、平衡ディスク６の軸心に対して中心対称となる。
【００２３】
さらに、平衡ディスク６の２つの端面には、それぞれ、２組のストッパー１４が設置される。２組のストッパー１４は、それぞれ、平衡ディスク開口１２における傘歯車収容溝１３及びモータ収容溝１５を対応して遮蔽する。これにより防水効果を実現する。
【００２４】
図７に示されるように、駆動機構７は、平衡ディスク６の内部に固定された駆動モータ２７及び駆動モータ２７により駆動されて、互いに同期しつつ同方向に回転する２本のスクリュー１８を含む。スクリュー１８のネジ部はカウンターウェイト５の内部に配置される。駆動モータ２７の出力軸にモータ傘歯車２６が同心固定される。駆動軸２３は駆動モータ２７と同軸で間隔を空けて設置される。駆動軸２３の両端には、それぞれ、駆動軸傘歯車２２が固定される。２つの駆動軸傘歯車２２の内側には、それぞれ、駆動軸バネ２５が套設される。各駆動軸バネ２５の内側には、それぞれ、駆動軸軸受け２４が套設される。
【００２５】
スクリュー１８は、駆動軸２３の両端に位置する。スクリュー１８の一端部にスクリュー傘歯車２１が固定される。一方のスクリュー１８のスクリュー傘歯車２１は駆動軸傘歯車２２とモータ傘歯車２６の間に位置する。一方のスクリュー１８のスクリュー傘歯車２１は、駆動軸傘歯車２２及びモータ傘歯車２６と同時に噛み合い、他方のスクリュー１８のスクリュー傘歯車２１は、駆動軸傘歯車２２と噛み合う。２本のスクリュー１８の軸線は、駆動軸２３の軸線及び駆動モータ２７の出力軸の軸線に垂直であり、且つ同一平面にある。従って、駆動モータ２７は、回転するときに、モータ傘歯車２６、駆動軸傘歯車２２及びスクリュー傘歯車２１の噛み合い関係に応じて、２本のスクリュー１８を動かし、２本のスクリュー１８を互いに同期させつつ同方向に回転させることができる。
【００２６】
各スクリュー傘歯車２１の内側には、それぞれ、スクリューバネ２０が套設される。各スクリューバネ２０の内側には、それぞれ、スクリュー軸受け１９が套設される。スクリュー軸受け１９の内側からスクリュー１８の他端までがネジ部となる。ネジ部には雄ネジが形成される。また、ネジ部には複数のネジ付ブロック１７が均等に套設されている。ネジ付ブロック１７は中空である。ネジ付ブロック１７には、雄ネジと嵌合して接続された雌ネジが設けられている。ネジ付ブロック１７は、カウンターウェイト５の内部に固定される。
【００２７】
駆動軸傘歯車２２及びスクリュー傘歯車２１の内側には、それぞれ、駆動軸バネ２５及びスクリューバネ２０が套設される。これにより、駆動軸傘歯車２２やスクリュー傘歯車２１の伝動過程での振動を効果的に緩和させ、駆動軸傘歯車２２及びスクリュー傘歯車２１をより効果的に噛み合わせ、伝達効率を向上させる。スクリュー軸受け１９及び駆動軸軸受け２４のいずれもスライド軸受けを用いるため、摩擦損失及び表面摩損を効果的に減少させて、伝動過程を安定的で確実にして、ノイズを解消する。
【００２８】
本発明の多坑井用ビームポンピングシステムの調整可能な共用平衡装置の取り付け過程は、具体的には、以下のとおりである。
【００２９】
駆動機構７と平衡ディスク６やカウンターウェイト５とを嵌合して取り付けるに当たって、２本のスクリュー１８のネジ部を、それぞれ、カウンターウェイト５のカウンターウェイト取り付け溝１０に置き、スクリュー１８のネジ部の外部に套設するネジ付ブロック１７をカウンターウェイト本体１１に固定し、カウンターウェイト５と平衡ディスクの取り付けが終了した後、スクリュー１８のネジ部を平衡ディスク６の平衡ディスク凹溝１６に設置する。
【００３０】
スクリュー１８のネジ部の外側に取り付けられたスクリュー軸受け１９、スクリューバネ２０及びスクリュー傘歯車２１はカウンターウェイト取り付け溝１０の外側に位置する。また、スクリュー軸受け１９は同時にカウンターウェイト本体１１に固定されて、スクリュー１８を支持する。スクリュー傘歯車２１及びそれと噛み合う駆動軸傘歯車２２は、対応する傘歯車収容溝１３に配置される。駆動モータ２７及びその出力軸に取り付けられたモータ傘歯車２６は、対応するモータ収容溝１５に配置される。
【００３１】
駆動軸２３は、カウンターウェイト５と平衡ディスク開口１２の内端が間隔を空けて形成する隙間に配置される。駆動軸２３の両端に套設された駆動軸軸受け２４は、平衡ディスク開口１２の内端面に固定される。
【００３２】
本発明の多坑井用ビームポンピングシステムの調整可能な共用平衡装置の作動過程及び作動原理は、具体的には、以下のとおりである。
【００３３】
多坑井用ビーム採油機の主軸は、シャフトカップリングによって回転軸２に同軸接続される。多坑井用ビーム採油機の主軸が回転すると、回転軸２が連動して回転する。回転軸２及び平衡ディスク６はフラットキー及びキー溝の形態で嵌合しているため、主軸が回転すると回転軸２が連動して平衡ホイール１及び平衡ディスク６を同軸回転させる。
【００３４】
カウンターウェイト５を調整する必要がある場合、駆動モータ２７が作動する。駆動モータ２７が作動すると、その出力軸に固定されたモータ傘歯車２６が、それと直接噛み合うスクリュー傘歯車２１を介して、対応するスクリュー１８を動かして回転させる。駆動軸２３の両端の駆動軸傘歯車２２と両端のスクリュー傘歯車２１は噛み合っている。このため、２つのスクリュー１８のうちの一方のスクリュー１８が駆動モータ２７で直接駆動されると、駆動軸２３を介して他方のスクリュー１８に駆動力が伝わり、一方のスクリュー１８と他方のスクリュー１８が同期しながら同方向に回転する。
【００３５】
スクリュー１８のネジ部に套設されたネジ付ブロック１７はカウンターウェイト５に固定される。スクリュー１８が回転すると、カウンターウェイト５が連動し、平衡ディスク６の径方向に平衡ディスク６からスライドイン又はスライドアウトさせる。このように、平衡ホイール１の平衡を調整し、２つの平衡ディスク開口１２に位置する２つの駆動モータ２７の同期回転により、平衡ディスク６の両側に位置するカウンターウェイト５は同一速度で対向移動する。
【００３６】
以上は、本発明の好適な実施例に過ぎず、本発明を制限するものではなく、当業者であれば、本発明について各種の変更や変化を実施できる。本発明の精神及び趣旨を脱逸することなく、実施されるすべての修正、同等置換や改良等は本発明の保護範囲に含まれる。
【符号の説明】
【００３７】
１、平衡ホイール；２、回転軸；３、軸受け箱；４、ホルダ；５、カウンターウェイト；６、平衡ディスク；７、駆動機構；８、回転軸孔；９、カウンターウェイトカバー；１０、カウンターウェイト取り付け溝；１１、カウンターウェイト本体；１２、平衡ディスク開口；１３、傘歯車収容溝；１４、ストッパー；１５、モータ収容溝；１６、平衡ディスク凹溝；１７、ネジ付ブロック；１８、スクリュー；１９、スクリュー軸受け；２０、スクリューバネ；２１、スクリュー傘歯車；２２、駆動軸傘歯車；２３、駆動軸；２４、駆動軸軸受け；２５、駆動軸バネ；２６、モータ傘歯車；２７、駆動モータ。
【図１】
2019127819.tif 000003
【図２】
2019127819.tif 000004
【図３】
2019127819.tif 000005
【図４】
2019127819.tif 000006
【図５】
2019127819.tif 000007
【図６】
2019127819.tif 000008
【図７】
2019127819.tif 000009